(57)【要約】【課題】ミラーユニットにおいて、ミラー部の位置決め精度を向上させる。【解決手段】ミラーユニットであって、入射光束中に斜設される第１状態と、入射光束から退避する第２状態の間で回動するミラー部と、ミラー部を第１状態に位置決めする位置決め部と、ミラー部と位置決め部の間に介在し、第２状態から第１状態へ回動するミラー部と接触すると共に、ミラー部の第２状態から第１状態への回動方向とは反対方向に回動して位置決め部に接触することにより、ミラー部を第１状態に静定させる中間部とを備える。【選択図】図２
2012088561.tif 000002
【特許請求の範囲】
【請求項１】
入射光束中に斜設される第１状態と、入射光束から退避する第２状態の間で回動するミラー部と、
前記ミラー部を前記第１状態に位置決めする位置決め部と、
前記ミラー部と前記位置決め部の間に介在し、前記第２状態から前記第１状態へ回動する前記ミラー部と接触すると共に、前記ミラー部の前記第２状態から前記第１状態への回動方向とは反対方向に回動して前記位置決め部に接触することにより、前記ミラー部を前記第１状態に静定させる中間部と
を備えるミラーユニット。
【請求項２】
前記ミラー部は、前記中間部と接触する部分として、前記ミラー部の回動軸方向の成分を含む方向へ突出した突出部を有する請求項１に記載のミラーユニット。
【請求項３】
前記突出部を挿通させる挿通孔を有する側壁部を備え、
前記中間部は、前記側壁部に対して、前記ミラー部が回動する内側とは反対側の外側に設けられる請求項２に記載のミラーユニット。
【請求項４】
前記中間部は、前記側壁部に軸支されると共に、付勢部材により前記反対方向に付勢されている請求項３に記載のミラーユニット。
【請求項５】
前記中間部は、前記突出部が回動する軌跡に沿ってスリットを有し、
前記突出部は、前記中間部と、前記スリットの端部で接触する請求項３または４に記載のミラーユニット。
【請求項６】
前記スリットは、少なくとも一端において、前記挿通孔に対する重なり量が端部へ向かって徐々に減少するように形成されている請求項５に記載のミラーユニット。
【請求項７】
前記第１状態から前記第２状態へ回動する前記ミラー部は、前記突出部が前記スリットに接触することにより、前記中間部を付勢部材の付勢力に抗して回動させる請求項６に記載のミラーユニット。
【請求項８】
請求項１から７のいずれか１項に記載のミラーユニットを備える撮像装置。
【発明の詳細な説明】
【技術分野】
【０００１】
本発明はミラーユニットおよび撮像装置に関する。
【背景技術】
【０００２】
往復移動するミラー部材を含むミラーユニットにおいて、ミラー部材が停止するときに生じるバウンドを積極的に減衰させる構造がある（特許文献１参照）。
［先行技術文献］
［特許文献］
［特許文献１］特開平０７−０３６１０５号公報
【発明の概要】
【発明が解決しようとする課題】
【０００３】
しかしながら、変位するピンによりミラー部材の停止位置を決める構造は、ミラー部材の位置決め精度が低下する場合があった。
【課題を解決するための手段】
【０００４】
上記課題を解決すべく、本発明の第１態様として、入射光束中に斜設される第１状態と、入射光束から退避する第２状態の間で回動するミラー部と、ミラー部を第１状態に位置決めする位置決め部と、ミラー部と位置決め部の間に介在し、第２状態から第１状態へ回動するミラー部と接触すると共に、ミラー部の第２状態から第１状態への回動方向とは反対方向に回動して位置決め部に接触することにより、ミラー部を第１状態に静定させる中間部とを備えるミラーユニットが提供される。
【０００５】
また、本発明の第２態様として、上記ミラーユニットを備える撮像装置が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】一眼レフカメラ１００の構造を模式的に示す断面図である。
【図２】ミラーユニット４００の斜視図である。
【図３】ミラーユニット４００の斜視図である。
【図４】ミラー駆動部５００の側面図である。
【図５】ミラー駆動部５００の側面図である。
【図６】ミラーユニット４００の動作を示す側面図である。
【図７】ミラーユニット４００の動作を示す側面図である。
【図８】ミラーユニット４００の動作を示す側面図である。
【図９】ミラーユニット４００の動作を示す側面図である。
【図１０】ミラーユニット４００の動作を示す側面図である。
【図１１】ミラーユニット４００の動作を示す側面図である。
【図１２】他のミラーユニット４０１の側面図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、ミラーユニット４００を備えた撮像装置である一眼レフカメラ１００の模式的断面図である。一眼レフカメラ１００は、レンズユニット２００およびカメラ本体３００を備える。
【００１０】
レンズユニット２００は、固定筒２１０、複数のレンズ２２０、２３０、２４０、レンズマウント２５０およびレンズＣＰＵ２６０を有する。固定筒２１０の一端は、レンズマウント２５０を介して、カメラ本体３００のボディマウント３６０に結合される。
【００１１】
レンズマウント２５０およびボディマウント３６０の結合は特定の操作により解除できる。これにより、カメラ本体３００には、同じ規格のレンズマウント２５０を有する他のレンズユニット２００を装着できる。
【００１２】
レンズユニット２００において、カメラ本体３００から遠くに位置するレンズ２２０は、固定筒２１０から直接に支持される。これに対して、他のレンズ２３０、２４０は、固定筒２１０対して光軸Ｘ方向に移動する。これにより、レンズユニット２００の光学系は変倍または合焦する。
【００１３】
例えば、レンズ２３０は、レンズユニット２００の倍率を変化させる場合に移動するズームレンズのひとつとなる。また、レンズ２４０は、レンズユニット２００の焦点位置を変化させる場合に移動するフォーカシングレンズのひとつとなる。
【００１４】
レンズＣＰＵ２６０は、レンズユニット２００における制御を司ると共に、カメラ本体３００との通信も担う。これにより、レンズユニット２００がカメラ本体３００に装着された場合に、カメラ本体３００と連携して動作する。また、防振ユニットを備えたレンズユニット２００では、レンズＣＰＵ２６０は、振動を打ち消すレンズの移動方向および移動量を算出してアクチュエータを制御する。
【００１５】
カメラ本体３００は、レンズユニット２００に対してボディマウント３６０の背後に配されたミラーユニット４００を備える。ミラーユニット４００の下方には合焦光学系３８０が配される。また、ミラーユニット４００の上方にはフォーカシングスクリーン３５２が、それぞれ配される。
【００１６】
フォーカシングスクリーン３５２の更に上方にはペンタプリズム３５４が、ペンタプリズム３５４に対して後方にはファインダ光学系３５６が配される。ファインダ光学系３５６の後端は、ファインダ３５０としてカメラ本体３００の背面に露出する。
【００１７】
ミラーユニット４００の後方には、フォーカルプレンシャッタ３７０、ローパスフィルタ３３２および撮像素子３３０が順次配される。撮像素子３３０の更に背後には、本体ＣＰＵ３２２および画像処理回路３２４が実装された主基板３２０が配される。また更に、カメラ本体３００の背面には背面表示部３４０が配される。背面表示部３４０は、例えば、液晶表示板等を用いて形成できる。
【００１８】
ミラーユニット４００は、メインミラー４２０およびサブミラー４６０を収容するミラーボックス４０２を有する。メインミラー４２０は、メインミラー保持枠４１０に支持される。メインミラー保持枠４１０の一端は、メインミラー回動軸４３０によりミラーボックス４０２から軸支される。
【００１９】
サブミラー４６０は、サブミラー保持枠４５０により保持される。サブミラー保持枠４５０の一端は、サブミラー回動軸４７０により、メインミラー保持枠４１０から軸支される。よって、サブミラー４６０は、メインミラー保持枠４１０に対して回動する。メインミラー保持枠４１０が回動した場合、サブミラー４６０およびサブミラー保持枠４５０もメインミラー保持枠４１０と共に移動する。
【００２０】
メインミラー保持枠４１０の図中手前側の側面には、メインミラー回動軸４３０と平行な成分を含む方向へ突出して設けられた突出部４４０が配される。突出部４４０は、メインミラー保持枠４１０と共に昇降する。よって、突出部４４０を位置決めすることにより、メインミラー保持枠４１０の停止位置を位置決めできる。
【００２１】
回動によりメインミラー保持枠４１０の前端が下降して停止した場合、メインミラー４２０は、レンズユニット２００から入射した入射光束上に斜めに配される第１状態をとなる。回動によりメインミラー保持枠４１０の前端が上昇して停止した場合、メインミラー４２０は、入射光束を避けた位置に退避した第２状態となる。
【００２２】
メインミラー４２０が第２状態にある場合は、メインミラー保持枠４１０と共に、突出部４４０も入射光束を避けた退避位置に退避している。よって、突出部４４０が入射光束の一部を散乱させることはない。
【００２３】
第１状態において斜設位置にあるメインミラー４２０は、レンズユニット２００を通じて入射した入射光束を反射してフォーカシングスクリーン３５２に導く。フォーカシングスクリーン３５２は、レンズユニット２００の光学系が合焦した場合に被写体像を結ぶ位置に配されて、当該被写体像を可視化する。
【００２４】
フォーカシングスクリーン３５２に結像された像は、ペンタプリズム３５４およびファインダ光学系３５６を通じてファインダ３５０から観察される。ここで、被写体像の光束がペンタプリズム３５４を通ることにより、フォーカシングスクリーン３５２上の被写体像は、ファインダ３５０から正立正像として観察できる。
【００２５】
測光センサ３９０は、ファインダ光学系３５６の上方に配され、ペンタプリズム３５４において分岐されさた入射光束の一部を受光する。測光センサ３９０は、受光した入射光束の一部から被写体の明るさを検出して、本体ＣＰＵ３２２に撮影条件の一部である露出条件を算出させる。また、受光した入射光束の一部を三原色毎に測光して、オートホワイトバランスの算出に与する。
【００２６】
また、メインミラー４２０は、入射した入射光束の一部を透過するハーフミラー領域を有する。サブミラー４６０は、ハーフミラー領域から入射した入射光束の一部を、合焦光学系３８０に向かって反射する。合焦光学系３８０は、入射した入射光束の一部を焦点検出センサ３８２に導く。これにより、カメラ本体３００は、レンズユニット２００を合焦させるレンズ２３０の目標位置を決定できる。
【００２７】
上記のような一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー４２０およびサブミラー４６０が退避位置に移動して、フォーカルプレンシャッタ３７０が開く。よって、レンズユニット２００から入射した入射光束は、ローパスフィルタ３３２を通過して、撮像素子３３０に入射する。
【００２８】
撮像素子３３０は、ＣＣＤセンサ（Ｃｈａｒｇｅ  Ｃｏｕｐｌｅｄ  Ｄｅｖｉｃｅ）、ＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光電変換素子により形成され、受光した被写体像を電気信号に変換して出力する。撮像素子３３０から出力された電気信号は画像処理回路３２４において画像データに変換される。
【００２９】
図２は、ミラーユニット４００の斜視図であり、メインミラー４２０が入射光束中に斜設される第１状態を示す。図１と共通の要素には同じ参照番号を付して重複する説明を省く。
【００３０】
ミラーユニット４００は、側壁部４０６に対してメインミラー４２０と反対側に、即ち、ミラーボックス４０２の側壁部４０６の外側に、中間部材４８０、偏心ピン４９０および付勢部材４８９を有する。メインミラー回動軸４３０は、側壁部４０６を貫通して固定され、メインミラー保持枠４１０を軸支する。
【００３１】
中間部材４８０は、メインミラー回動軸４３０と平行な中間部材回動軸４８２により、側壁部４０６から軸支される。これにより、中間部材４８０は、側壁部４０６の外面に沿って、中間部材回動軸４８２の回りを回動する。
【００３２】
なお、中間部材４８０は、突出部４４０を含む系と同じ慣性モーメントを有する。即ち、突出部４４０は、メインミラー保持枠４１０、メインミラー４２０、サブミラー保持枠４５０、サブミラー４６０等と一体的に移動する系をなして回動する。中間部材４８０は、この突出部４４０を含む系の慣性モーメントに対して、同じ慣性モーメントを有して回動する。
【００３３】
偏心ピン４９０は、メインミラー回動軸４３０と平行な回転軸の回りに回すことができる。また、偏心ピン４９０の外周部は回転軸に対して偏心している。よって、偏心ピン４９０を回転することにより、偏心ピン４９０の外周面の位置を、側壁部４０６に沿って変位させることができる。
【００３４】
引き延ばされたコイルバネにより形成された付勢部材４８９の上端は、側壁部４０６に固定された係合部４０８に係合される。付勢部材４８９の下端は、中間部材４８０の下端近傍に係合される。これにより、付勢部材４８９は、中間部材４８０の下端近傍を引き上げる方向に付勢する。
【００３５】
なお、中間部材４８０における中間部材回動軸４８２よりも図中下側を上昇させる付勢力を発揮する部材であれば、付勢部材４８９は、板バネ、捩じりバネ等、他の形状の部材を用い得る。また、付勢部材４８９は、圧縮された状態で装着され、伸長することにより中間部材４８０を付勢するものであってもよい。
【００３６】
側壁部４０６には、メインミラー保持枠４１０から側方に突出した突出部４４０が挿通される挿通孔４０４が配される。挿通孔４０４は、メインミラー回動軸４３０を中心とする円弧状の形状を有して、突出部４４０の移動の軌跡に沿って形成される。
【００３７】
よって、メインミラー保持枠４１０の回動に伴う突出部４４０の移動を、側壁部４０６が妨げることはない。ただし、後述するように、突出部４４０の移動範囲の上端は、挿通孔４０４の上端により決められる。
【００３８】
中間部材４８０も、突出部４４０の移動の軌跡に沿って形成された弧状のスリット４８４を有する。スリット４８４の少なくとも下端４８１は閉じている。また、スリット４８４は挿通孔４０４と重ねて配され、突出部４４０を挿通されている。図示の状態では、スリット４８４の下端４８１は突出部４４０に接している。
【００３９】
メインミラー保持枠４１０の図中奥側の側面には、被駆動ピン４１２が配される。被駆動ピン４１２は、後述するミラー駆動部から駆動力を受けて上昇または下降する。メインミラー保持枠４１０はメインミラー回動軸４３０により軸支されているので、被駆動ピン４１２の上昇または下降により回動する。これにより、メインミラー４２０の前端を上昇または下降させることにより、メインミラー４２０を斜設位置と退避位置との間で移動させる。
【００４０】
なお、下記の説明において、メインミラー保持枠４１０またはメインミラー４２０を上昇させると記載した場合は、これらの部材を、斜設位置から退避位置に回動させることを意味する。また、メインミラー保持枠４１０またはメインミラー４２０を下降させると記載した場合は、これらの部材を、退避位置から斜設位置に回動させることを意味する。
【００４１】
図３は、ミラーユニット４００の斜視図であり、メインミラー４２０が入射光束中から退避する第２状態を示す。図１および図２と共通の要素には同じ参照番号を付して重複する説明を省く。
【００４２】
図２に示した状態に比較すると、メインミラー保持枠４１０は、メインミラー回動軸４３０の回りに回動して、メインミラー４２０の先端を上昇させている。これにより、メインミラー４２０は略水平になり、入射光束の光路から退避する。
【００４３】
また、メインミラー保持枠４１０の回動に伴い、突出部４４０も上昇して、入射光束の光路から退避している。よって、入射光束が突出部４４０により反射されることもない。
【００４４】
また、突出部４４０は、挿通孔４０４の内部を上昇している。これにより、突出部４４０の周面は、スリット４８４の内面に接しているが、この点については他の図を参照して後述する。
【００４５】
図４は、ミラー駆動部５００の側面図である。ミラー駆動部５００は、図２において、図中奥側に配された被駆動ピン４１２に駆動力を伝える。図４は、図２および図３において矢印Ｐで示す側から見た様子を示す。よって、図４中に点線で示すように、メインミラー保持枠４１０は、図１および図２とは反対向きに傾斜する。
【００４６】
ミラー駆動部５００は、駆動歯車５１０、駆動レバー５２０、押し下げバネ５３０および引き上げバネ５４０を有する。駆動歯車５１０は、共に回転するカム５１４を側面に備える。また、駆動歯車５１０は、外周に沿って配列された歯を有し、図示していないモータ等から回転駆動力を伝えられて、回転軸５１２の回りを回転する。
【００４７】
駆動レバー５２０は、被駆動部５２４および押し上げ部５２６を一体的に備え、中程の回動軸５２２の回りを回動する。また、駆動レバー５２０は、引き上げバネ５４０により、図中で反時計回りに回動する方向に付勢されている。よって、図示の状態では、被駆動部５２４は、駆動歯車５１０のカム５１４に押し付けられている。
【００４８】
メインミラー保持枠４１０から図中手前側に突出する被駆動ピン４１２は、押し下げバネ５３０により下方に向かって付勢される。これにより、被駆動ピン４１２に他の力が作用していない場合、メインミラー保持枠４１０は下降する方向に付勢されている。
【００４９】
上記のようなミラー駆動部５００において、メインミラー保持枠４１０およびメインミラー４２０を斜設位置から退避位置に上昇させる場合は、図中に矢印Ｕにより示すように、駆動歯車５１０を、図中で反時計回りに回転させる。これにより、カム５１４は下方に移動し、やがて、駆動レバー５２０の被駆動部５２４が、駆動歯車５１０のカム５１４から開放される。
【００５０】
図５は、ミラー駆動部５００の側面図であり、メインミラー保持枠４１０およびメインミラー４２０を斜設位置から退避位置へ移動させる場合の動作を示す。図４と共通の要素には同じ参照番号を付して重複する説明を省く。
【００５１】
被駆動部５２４がカム５１４から開放されると、駆動レバー５２０は、引き上げバネ５４０の付勢力に従って図中反時計回りに回動する。これにより、駆動レバー５２０の押し上げ部５２６は、被駆動ピン４１２に下から当接する。
【００５２】
ここで、引き上げバネ５４０の付勢力は、押し下げバネ５３０の付勢力よりも大きい。よって、被駆動ピン４１２は、押し下げバネ５３０の付勢力に抗して、引き上げバネ５４０の付勢力に従って上昇する。これにより、メインミラー保持枠４１０は回動し、メインミラー４２０は斜設位置から退避位置へと移動する。
【００５３】
また、メインミラー保持枠４１０を、退避位置から斜設位置に移動させる場合、ミラー駆動部５００は下記のように動作する。まず、図５に矢印Ｄにより示すように、駆動歯車５１０を図中時計回りに回転させる。これにより、カム５１４が駆動レバー５２０に近づく。
【００５４】
やがて、カム５１４と被駆動部５２４は再び当接する。更に駆動歯車５１０が回転を続けると、被駆動部５２４を押された駆動レバー５２０は、回動軸５２２の回りを図中時計方向に回転する。
【００５５】
駆動レバー５２０が図中時計回りに強制的に回転すると、駆動レバー５２０を介して被駆動ピン４１２に伝達されていた引き上げバネ５４０の付勢力が、被駆動ピン４１２から遮断される。よって、押し下げバネ５３０の付勢力の作用により、被駆動ピン４１２は下降する。これにより、メインミラー保持枠４１０は、メインミラー回動軸４３０の回りに回動して下降する。
【００５６】
図６は、メインミラー回動軸４３０の軸方向についてミラー駆動部５００と反対側におけるミラーユニット４００の側面図である。図６は、ミラーユニット４００が図２に示した状態、即ち、メインミラー保持枠４１０が下降してメインミラー４２０が斜設状態にある場合のミラーボックス４０２側面を示す。図１から図３までと共通の要素には同じ参照番号を付して重複する説明を省く。
【００５７】
メインミラー保持枠４１０が下降している場合、突出部４４０は、中間部材４８０のスリット４８４の下端４８１に当接している。一方、中間部材４８０は、下端近傍に形成された係合部４８６において付勢部材４８９に係合され、上方に向かって付勢されている。
【００５８】
よって、中間部材４８０の図中左側の側方に突出して形成された当接部４８３は、偏心ピン４９０の外周面に押し付けられる。これにより、突出部４４０は、偏心ピン４９０との間に中間部材４８０を介在させて、偏心ピン４９０により位置決めされる。よって、突出部４４０を位置決めされたメインミラー保持枠４１０は、メインミラー４２０を第１状態に静定させる。
【００５９】
なお、挿通孔４０４は、突出部４４０の位置よりも下方まで延在しており、突出部４４０に接触していない。また、突出部４４０は、図４で示すように、被駆動ピン４１２を押し下げる押し下げバネ５３０により下方に向かって付勢されているが、付勢部材４８９は、押し下げバネ５３０の付勢力に打ち勝って係合部４８６を引き上げている。
【００６０】
図７から図１１までは、ミラーユニット４００の動作を示す側面図である。図６と共通の部材には同じ参照番号を付して重複する説明を省く。
【００６１】
図７は、ミラー駆動部５００により被駆動ピン４１２を上昇させる方向に駆動されたミラーユニット４００の側面図である。図中の矢印Ａで示すように、メインミラー保持枠４１０が上昇してメインミラー４２０が退避位置にくると、突出部４４０も挿通孔４０４の内側を上昇し、やがて、スリット４８４内面の一部に形成された接触部４８５に接触する。
【００６２】
即ち、スリット４８４は、少なくとも一端において、挿通孔４０４に対する重なり量が端部へ向かって徐々に減少するように形成されている。これにより、スリット４８４の側面の一部が挿通孔４０４の内側に入り込み、挿通孔４０４およびスリット４８４の内側において突出部４４０が通過する領域の幅が徐々に減少する。よって、上昇した突出部４４０は、スリット４８４の内面の一部である接触部４８５に接触する。
【００６３】
図８は、図７に示した状態から、突出部４４０が更に上昇した状態を示すミラーユニット４００の側面図である。図示のように、ミラー駆動部５００により上昇するメインミラー保持枠４１０と共に突出部４４０は更に上昇するので、接触部４８５を押し退けられた中間部材４８０は図中反時計回りに回動する。
【００６４】
上昇した突出部４４０は、やがて、挿通孔４０４の上端に当接して停止する。ここで、突出部４４０が接触部４８５に接触してから停止するまでの間、突出部４４０は、付勢部材４８９の付勢力に抗して中間部材４８０を押し退けつつ上昇する。これにより、突出部４４０が上昇する運動エネルギーが消尽されるので、上昇が停止するときには、挿通孔４０４上端に衝突したことによるバウンドが殆ど生じない。
【００６５】
なお、上昇したメインミラー保持枠４１０が停止する位置は、ミラーボックス４０２の上面に配された当接部材により位置決めされてもよい。この場合は、上昇した突出部４４０は、挿通孔４０４の上端に当接しない。しかしながら、突出部４４０に側方から接触する接触部４８５は、メインミラー保持枠４１０のバウンドを抑制する。
【００６６】
図９は、ミラー駆動部５００に駆動されたメインミラー保持枠４１０が第２状態から第１状態に向かって下降して、メインミラー４２０が斜設状態に向かう過程を示す側面図である。図中の矢印Ｃで示すように、下降する突出部４４０が接触部４８５を通り過ぎると、付勢部材４８９に係合部４８６を引き上げられた中間部材４８０は、当接部４８３が偏心ピン４９０に当接する位置まで回動して、当初の位置を回復する。
【００６７】
図１０は、図中に矢印Ｘで示すように、突出部４４０が更に下降した状態のミラーユニット４００の側面図である。下降するメインミラー保持枠４１０と共に突出部４４０が更に下降して図６に示した位置に達すると、突出部４４０は、スリット４８４の下端４８１に衝突する。
【００６８】
既に説明した通り、突出部４４０を含む系と中間部材４８０は同じ慣性モーメントを有する。よって、突出部４４０の運動量は、衝突した中間部材４８０との間で保存され、突出部４４０を含む系はその場に略停止する。一方、運動量を得た中間部材４８０は、中間部材回動軸４８２の回りを回動する。
【００６９】
図１１は、更に続く状態を示すミラーユニット４００の側面図である。下降するメインミラー保持枠４１０は、被駆動ピン４１２を介して、ミラー駆動部５００の押し下げバネ５３０により下方に向かって付勢されている。よって、メインミラー保持枠４１０と一体の突出部４４０も下方に向かって付勢されており、上記のように殆ど停止した突出部４４０は再び下降し始める。
【００７０】
一方、図中反時計回りに回動する中間部材４８０は、やがて、付勢部材４８９により下端側を引き上げられて回動方向を反転する。よって、再下降する突出部４４０と上昇する中間部材４８０のスリット４８４の下端４８１とは再び接触する。しかしながら、停止した突出部４４０が中間部材４８０に再度接触するまでの距離は短い。よって、突出部４４０に生じる運動量は僅かで、再接触した中間部材４８０および突出部４４０は、バウンドまたは振動を殆ど生じることなく接触を継続する状態になる。
【００７１】
更に、中間部材４８０は、付勢部材４８９により下端側を引き上げる方向に付勢されているので、接触した突出部４４０および中間部材４８０は、中間部材４８０と共に、図中時計回りに回動する。回動する中間部材４８０は、やがて、下端近傍の当接部４８３を、偏心ピン４９０に下側から当接させて、回動を停止する。こうして、図６に示したように、メインミラー保持枠４１０が第１状態に位置決めされ、メインミラー４２０が斜設状態になる。
【００７２】
このように、突出部４４０は、運動エネルギーを殆ど消尽した状態で停止するので、メインミラー保持枠４１０の位置決めに係る衝撃が緩和される。また、突出部４４０がスリット４８４の下端４８１に当接する方向と、中間部材４８０が偏心ピン４９０に当接する方向とが互いに反対になる。よって、一眼レフカメラ１００の外部で感じられる衝撃が緩和される。
【００７３】
なお、中間部材４８０においてスリット４８４の下端４８１が突出部４４０に対して衝突する箇所は、中間部材４８０が回動する平面の上に位置している。よって、下降する突出部４４０が衝突した場合に中間部材４８０が受ける衝撃のモーメントの方向は、スリット４８４の下端４８１が変位する方向と一致している。このため、スリット４８４の内側で突出部４４０が中間部材４８０に衝突した場合に、中間部材４８０を傾ける力は生じず、衝撃により中間部材４８０が煽られることがない。
【００７４】
これにより、突出部４４０の下降が終了した場合に、中間部材４８０の形状により規定された突出部４４０と偏心ピン４９０の間隔が、中間部材４８０の傾きにより変化することがない。よって、上記実施形態に係るミラーユニット４００では、突出部４４０のバウンド収束が早いだけではなく、停止したメインミラー保持枠４１０の位置決め精度が安定する。
【００７５】
図１２は、他のミラーユニット４０１の側面図である。ミラーユニット４０１は、下記に説明する部分を除くと、図１から図１１までに示したミラーユニット４００と同じ構造を有する。そこで、共通の要素には同じ参照番号を付して重複する説明を省く。
【００７６】
ミラーユニット４０１においては、スリット４８４の内面が、スリット４８４の下端近傍にも接触部４８７を有する。即ち、挿通孔４０４およびスリット４８４の下端近傍においても、挿通孔４０４とスリット４８４の重なり量が下端に向かって徐々に減少して、スリット４８４の側面の一部が挿通孔４０４の内側に入り込む。
【００７７】
これにより、挿通孔４０４およびスリット４８４の内側において突出部４４０が通過する領域の幅が徐々に減少する。このため、図中に矢印Ｚで示すように下降した突出部４４０は、スリット４８４の内面の一部である接触部４８７に接触する。
【００７８】
接触部４８７に接触した突出部４４０は、接触部４８７を押し退けながら更に下降する。これにより、中間部材４８０は、付勢部材４８９の付勢力に抗して、図中反時計回りに回動する。
【００７９】
下降した突出部４４０は、やがて、挿通孔４０４の下端４８１に接触し、図１０および図１１に示した通りの挙動を示す。しかしながら、ミラーユニット４０１においては、下端４８１に接触する前に、突出部４４０の運動エネルギーが既に減じられているので、バウンドは更に抑制される。
【００８０】
これにより、突出部４４０は、バウンドまたは振動を生じることなく略即座に停止する。よって、突出部４４０のバウンドの大きさおよび継続時間が抑制され、一眼レフカメラ１００は次の動作を迅速に開始できる。
【００８１】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８２】
１００  一眼レフカメラ、２００  レンズユニット、２１０  固定筒、２２０、２３０、２４０  レンズ、２５０  レンズマウント、２６０  レンズＣＰＵ、３００  カメラ本体、３２０  主基板、３２２  本体ＣＰＵ、３２４  画像処理回路、３３０  撮像素子、３３２  ローパスフィルタ、３４０  背面表示部、３５０  ファインダ、３５２  フォーカシングスクリーン、３５４  ペンタプリズム、３５６  ファインダ光学系、３６０  ボディマウント、３７０  フォーカルプレンシャッタ、３８０  合焦光学系、３８２  焦点検出センサ、３９０  測光センサ、４００、４０１  ミラーユニット、４０２  ミラーボックス、４０４  挿通孔、４０６  側壁部、４０８  係合部、４１０  メインミラー保持枠、４１２  被駆動ピン、４２０  メインミラー、４３０  メインミラー回動軸、４４０  突出部、４５０  サブミラー保持枠、４６０  サブミラー、４７０  サブミラー回動軸、４８０  中間部材、４８１  下端、４８２  中間部材回動軸、４８３  当接部、４８４  スリット、４８５、４８７  接触部、４８６  係合部、４８９  付勢部材、４９０  偏心ピン、５００  ミラー駆動部、５１０  駆動歯車、５１２  回転軸、５１４  カム、５２０  駆動レバー、５２２  回動軸、５２４  被駆動部、５２６  押し上げ部、５３０  押し下げバネ、５４０  引き上げバネ
【図１】
2012088561.tif 000003
【図２】
2012088561.tif 000004
【図３】
2012088561.tif 000005
【図４】
2012088561.tif 000006
【図５】
2012088561.tif 000007
【図６】
2012088561.tif 000008
【図７】
2012088561.tif 000009
【図８】
2012088561.tif 000010
【図９】
2012088561.tif 000011
【図１０】
2012088561.tif 000012
【図１１】
2012088561.tif 000013
【図１２】
2012088561.tif 000014